(57)【要約】【課題】一般的な住宅や各種施設等に容易に組込・設計でき、少ない床面で且つ低コストで施工できる車椅子使用者のトイレットの提供。【解決手段】出入り口２０に引き戸３０を備えた車椅子Ｂの出入り可能なトイレットＷであって、このトイレットＷにおける前記出入り口２０の備えられている壁体１０の前記引き戸３０の引き込み側に、当該壁体１０に背を向けて着座使用されるように腰掛け式便器４０が設けてあるトイレットＷ。【選択図】図１
2007089780.tif 000002
【特許請求の範囲】
【請求項１】
出入り口に引き戸を備えた車椅子の出入り可能なトイレットであって、
このトイレットにおける前記出入り口の備えられている壁体の前記引き戸の引き込み側に、当該壁体に背を向けて着座使用されるように腰掛け式便器が設けてあることを特徴とするトイレット。
【請求項２】
前記腰掛け式便器が、その後部を壁体に接し、又は、近接して設けてあることを特徴とする請求項１に記載のトイレット。
【請求項３】
車椅子使用者がトイレット内において車椅子と腰掛け式便器との間を移動する際に手を摺り得る位置に手摺りが備えられていることを特徴とする請求項１又は請求項２に記載のトイレット。
【請求項４】
出入り口に引き戸を備えた車椅子の出入り可能な一対のトイレットであって、
この各トイレットにおける前記出入り口の備えられている壁体の前記引き戸の引き込み側に、当該壁体に背を向けて着座使用されるように腰掛け式便器が設けてあり、
前記一方のトイレットにおける引き戸が右方向に、他方のトイレットにおける引き戸が左方向に引き開けられるようにしてあることを特徴とするトイレット。
【請求項５】
前記一対のトイレットが通路の両側に互いに向き合うように設けてあり、しかも、当該各トイレットにおける引き戸を備えた出入り口が互いに向き合う位置に設けられていることを特徴とする請求項４に記載のトイレット。
【発明の詳細な説明】
【技術分野】
【０００１】
この発明は、住宅等に馴染みよく設置し得ると共に、単にトイレット内に侵入した態様で腰掛け式便器との間での移動を可能としたコンパクトな車椅子使用者用のトイレットを提供するものであり、また、車椅子使用者における利き腕側に対応した構成を備えたトイレットを容易に構成提供するものである。
【背景技術】
【０００２】
高齢化社会の到来等に伴って、車椅子を用いて自力で各種の日常生活の処理をなしたり、介助者の介助を借りて日常生活における各種動作をなさなければなならない人が近時増加する傾向にあり、公共的な設備に限らず、一般的な家庭内においても、車椅子によって生活し得る住空間の設計がなされるようになってきている。
【０００３】
かかる車椅子使用者対応の住宅設計にあっては、車椅子操作のための各種空間が随所に必要とされ、実際に用いうる居住空間量が必然的に少なくなる不具合があった。
【０００４】
特に、トイレットにあっては、通例、入り口側に向かって座るように腰掛け式便器が備えられていることから、トイレット内に乗り入れた車椅子使用者は当該トイレット内においていったん車椅子を便器の向きに合わせるように反転させる必要があり、また、当該反転状態にある車椅子と腰掛け式便器との間を移動するための設備を要すること等から、トイレット設備に比較的多くの住空間を用いる必要があった。
【０００５】
かかる点から、トイレルームの一側壁面に沿って、前後に離間して大便器ブースを配設し、このトイレブース間に中間部の小便器ブースを配設し、トイレブースの通路方向への突出量は大きく、中間部のトイレブースの突出量は小さく、前後のトイレブースは、対称的に出入口を備え、且つ平面視が半円形で、トイレブース内に設置された便器洗面台等の内装機器が対称的に配設され、しかも、前後のトイレブース間の中間部のトイレブースの外側には、車椅子の旋回スペースを設けたトイレルームが特許文献１に開示されている。
【特許文献１】特開平５−２９５９０５
【発明の開示】
【発明が解決しようとする課題】
【０００６】
かかる特許文献１に示されるトイレルームでは、各トイレブースが平面視で半円形をなし、しかも、出入口の扉が弧状とされており、さらに、各ブース間に比較的広い旋回スペースを備えた構成としてある。
【０００７】
また、この特許文献１に示されているトイレルームでは、トイレブースの弧状の周壁に弧状の扉が収納し得るように設けてあり、この扉を備えている周壁と反対の側にある突き出し幅の短い壁面に大便器を設け、この壁面と前記周壁との間に斜めに備えられる出入口を前記周壁に納められている弧状の扉で開閉できるようにしてある。
【０００８】
このように構成されるトイレブースにあっては、周壁に向き合っている壁面に備えられている大便器に車椅子を近づかせるためには、弧状の周壁を備えたトイレブースの当該弧状部分に斜めの出入口を設ける必要があり、扉を備えるトイレブースにおける弧状部を通路側に大きく張り出した状態に設ける必要があった。
【０００９】
このような構成からなるトイレルームにあっては、トイレルーム内に各弧状のトイレブースがあり、しかも、この各弧状のトイレブース間に車椅子の旋回スペースが必要とされていることから、設備コストが割高となるにも拘わらず、床面が四角形をしている当該トイレルームの効率的な使用には不適切であった。
【００１０】
この発明は、かかる特許文献１に開示されているトイレルームにおける不具合を解消し、一般的な住宅に備え付けられるトイレットとしても、また、各種施設等に備え付けられるトイレットとしても、設計・製作が容易であり、しかも、少ない設置スペース内に効果的に車椅子使用者用トイレットを低コストで備え付け得るトイレットの提供をなすものである。
【課題を解決するための手段】
【００１１】
前記課題を解決するために、この発明は、出入り口に引き戸を備えた車椅子の出入り可能なトイレットであって、
このトイレットにおける前記出入り口の備えられている壁体の前記引き戸の引き込み側に、当該壁体に背を向けて着座使用されるように腰掛け式便器が設けてあることを特徴とするトイレットとしてある。
【００１２】
このように構成されるトイレットにあっては、床面が概ね四角形をなすように間仕切り構成される住宅や各種施設等にあって、その間仕切り構成を損なうことなく容易に組込・設計し得ると共に、一般的な間仕切り構造と同様に設計・施工をすることができ、トイレットの組込・施工に格別の材や、手間や、空間等を必要とされることがない。
【００１３】
また、このように構成されるトイレットにあっては、引き戸を開けてトイレット内に車椅子を用いて単に直進することのみによって使用便器に着座可能な状態を作り出すことができ、もっとも少ない床面積で、効率的に用い得る車椅子使用者用トイレットを構成することができる。
【００１４】
また、このように構成されるトイレットにあっては、当該トイレットにおける引き戸の向きを右向き、又は、左向きに設定することによって、当該トイレットを用いる各車椅子使用者における利き腕に対応したトイレットを設置することができる。
【００１５】
また、前記構成に係るトイレットにおいて、前記腰掛け式便器が、その後部を壁体に接し、又は、近接して設けてあることを特徴とするトイレットでは、前記特長に併せて当該トイレットにおける出入り口の備えられている壁体の面から当該トイレット内空間を有効に用いることができる。
【００１６】
また、前記構成に係るトイレットにおいて、車椅子使用者がトイレット内において車椅子と腰掛け式便器との間を移動する際に手を摺り得る位置に手摺りが備えられていることを特徴とするトイレットでは、前記特長に併せて車椅子使用者は円滑にかつ安全に車椅子と腰掛け式便器との間を行き来することができる。
【００１７】
また、出入り口に引き戸を備えた車椅子の出入り可能な一対のトイレットであって、
この各トイレットにおける前記出入り口の備えられている壁体の前記引き戸の引き込み側に、当該壁体に背を向けて着座使用されるように腰掛け式便器が設けてあり、
前記一方のトイレットにおける引き戸が右方向に、他方のトイレットにおける引き戸が左方向に引き開けられるようにしてあることを特徴とするトイレットにあっては、前記特長に併せて、車椅子使用者は、各人の利き腕によって使い勝手の良い側のトイレットを選択・用いることができる。
【００１８】
また、前記構成のトイレットにあって、前記一対のトイレットが通路の両側に互いに向き合うように設けてあり、しかも、当該各トイレットにおける引き戸を備えた出入り口が互いに向き合う位置に設けられていることを特徴とするトイレットでは、前記特長に併せて、使い勝手の異なる一対のトイレットを狭い設置スペース内に都合良く設置することができる。
【発明の効果】
【００１９】
この発明に係るトイレットは、一般的な住宅や各種施設等において容易に組込・設計できると共に、少ない床面のトイレットとして低コストで施工でき、しかも、車椅子使用者の利き腕に対応した態様のトイレットを容易に設置することができる。
【発明を実施するための最良の形態】
【００２０】
以下、図１〜図７に基づいて、この発明を実施するための最良の形態に係るトイレットＷについて説明する。
【００２１】
なお、ここで図１は当該発明を実施するための最良の形態に係るトイレットＷを水平向きで断面して上方から見て、図２は、このトイレットＷの要部を斜め上方から見て、また、図３〜図５は、このトイレットＷの典型的な使用状態を順次に水平向きで断面して上方から見て示している。図６は、他の典型的な実施の形態に係るトイレットＷを水平向きで断面して上方から見て、図７は、さらに他の典型的な実施の形態に係るトイレットＷ’を水平向きで断面して上方から見て示している。
【００２２】
この発明を実施するための最良の形態に係るトイレットＷは、出入り口２０に引き戸３０を備えた車椅子Ｂの出入り可能なトイレットＷであって、
このトイレットＷにおける前記出入り口２０の備えられている壁体１０の前記引き戸３０の引き込み側に、当該壁体１０に背を向けて着座使用されるように腰掛け式便器４０（洋便器）が設けてあることを特徴とするトイレットＷとしてある。
【００２３】
このように構成されるトイレットＷにあっては、床面が概ね四角形をなすように間仕切り構成される住宅や各種施設等にあって、その間仕切り構成を損なうことなく容易に組込・設計し得ると共に、一般的な間仕切り構造と同様に設計・施工をすることができ、トイレットＷの組込・施工に格別の材や、手間や、空間等を必要とされることがない。
【００２４】
また、このように構成されるトイレットＷにあっては、引き戸３０を開けてトイレットＷ内に車椅子Ｂを用いて単に直進することで使用便器４０に着座可能な状態を作り出すことができ、もっとも少ない床面積で、効率的に用い得る車椅子使用者用トイレットＷを構成することができる。
【００２５】
また、このように構成されるトイレットＷにあっては、当該トイレットＷにおける引き戸３０における引き込みの向きを右向き、又は、左向きに設定することによって、当該トイレットＷを用いる各車椅子使用者Ａにおける利き腕に対応したトイレットを設置することができる。
【００２６】
なお、前記トイレットＷは、いわゆる戸建て住宅や集合住宅等の住宅のトイレットとして備えられ、また、特別養護老人ホーム等の各種の施設のトイレットＷとして備えられる。また、このトイレットＷは、木造建造物、コンクリート造建造物等いかなる材からなる建造物にも設備して用いることができる。従って、トイレットを構成する各壁体は、トイレット空間を有効に作り出し得る間仕切り手段であればいかなる材によって構成してあってもよく、当該各壁体が順次直角に連続するようにして当該トイレットの壁体を構成してある。
【００２７】
また、このトイレットＷの出入り口２０は、車椅子使用者Ａが当該車椅子Ｂに乗った状態で、又は、介助者の介助のもとで出入りし得る形態を備えたものであれば、いかなる構成の出入り口２０であってもよい。そして、この出入り口２０を必要に応じて塞ぐ引き戸３０は、当該出入り口２０を効果的に開閉可能に塞ぎうるものであれば、いかなる素材からなるものであっても、また、いかなる構成からなるものであってもよい。
【００２８】
また、この出入り口２０を開閉可能に塞ぐ引き戸３０は、当該出入り口２０の備えられている壁体１０内に引き込み納まるように備えられていても、当該壁体１０に沿って引き込まれるように備えられていても、当該壁体１０と当該壁体１０と一体をなすように当該壁体１０に沿って備えられている面材との間に引き込まれるように備えられていてもよい。
【００２９】
また、このトイレットＷ内に設備される腰掛け式便器４０は、腰掛け状態で用便をなし得るものであれば、水洗式、簡易水洗式、非水洗式等いかなるタイプのものであってもよく。また、いかなる素材によって構成してあってもよい。
【００３０】
また、この腰掛け式便器４０は、前記出入り口２０の備えられている壁体１０に背面を向けて着座使用する態様、すなわち、当該便器４０の後部側を壁体１０に向けた状態、より典型的には、その後部を壁体１０に接し、又は、近接して設けるようになす。このように便器４０の設置されたトイレットＷでは、当該出入り口２０の備えられている壁体１０の面から当該トイレット内空間を有効に用いることができる。
【００３１】
また、前記構成に係るトイレットＷにおいて、車椅子使用者Ａがトイレット内において車椅子Ｂと腰掛け式便器４０との間を移動する際に、手を摺り得る位置、あるいは、手で握り得る位置に手摺り５０を備えたトイレットとすることが好ましい。このように手摺り５０を備えたトイレットＷでは、車椅子使用者Ａは円滑にかつ安全に車椅子Ｂと腰掛け式便器４０との間を行き来することができる。
【００３２】
かかる手摺り５０は、トイレット内において、車椅子使用者Ａが当該車椅子Ｂと腰掛け式便器４０との間を行き来する際に手を摺ったり、握り用いたりし得るものであれば、いかなる形態に備えられていても、また、いかなる態様に備えられていてもよく、例えば、設置されており腰掛け式便器４０の前方にあって、車椅子使用者Ａが都合良く身体を支えて移動し得る高さに、この腰掛け式便器４０の設置方向に直交する向きに備えられている横手摺り５１、この腰掛け式便器４０に着座し且つ立ち上がる際に握り且つ上下方向に移動しうる位置に縦向きに備えられている縦手摺り５２、さらに当該腰掛け式便器４０に着座し且つ当該着座位置から立ち上がるように前方に移動する際に身体を支え得る手摺りであり且つ当該腰掛け式便器４０の側方に沿うように備えられている横手摺り５３等の一種又は複数種によって構成することができる。
【００３３】
また、出入り口２０に引き戸３０を備えた車椅子Ｂの出入り可能な一対のトイレットＷであって、この各トイレットＷにおける前記出入り口２０の備えられている壁体１０の前記引き戸３０の引き込み側に、当該壁体１０に背を向けて着座使用されるように腰掛け式便器４０が設けてあり、前記一方のトイレットＷにおける引き戸３０が右方向に、他方のトイレットＷにおける引き戸３０が左方向に引き開けられるようにしてあるトイレットＷにあっては、車椅子使用者Ａは、各人の利き腕によって使い勝手の良い側のトイレットＷを選択・用いることができる。
【００３４】
また、このように対をなして備えられているトイレットＷａ、Ｗｂを、通路８７の両側に互いに向き合うように設け、しかも、当該各トイレットＷａ、Ｗｂにおける引き戸３０を備えた出入り口２０が互いに向き合う位置に設けられたトイレットＷ’では、使い勝手の異なる一対のトイレットＷａ、Ｗｂを狭い設置スペース内に使い勝手良く、しかも、コンパクトに設置することができる。
【００３５】
まず、図１〜図５に示されるトイレットＷについて具体的に説明する。
【００３６】
この図１〜図５に示されるトイレットＷは、出入り口２０に右側に引き込むように設置された引き戸３０を備えた車椅子Ｂの出入り可能なトイレットＷであり、このトイレットＷにおける前記出入り口２０の備えられている壁体１０の前記引き戸３０の引き込み側に、当該壁体１０に背を向けて着座使用されるように腰掛け式便器４０が設けてある。
【００３７】
この図示例に係るトイレットＷは、四面を壁体１０、１１、１２、１３によって囲まれたほぼ四角形の床面を備えたトイレットＷとしてあり、通路１４に面している壁体１０に車椅子Ｂの出入り可能な出入り口２０を設けてある。この壁体１０に備えられる出入り口２０は、当該壁体１０の左右いずれか一方側、この図示例にあっては通路１４に面している当該壁体１０の左側に設けてあり、当該壁体１０の右側の内側に当該壁体１０を背にして用便者が着座し得るように腰掛け式便器４０が設けてあると共に、この腰掛け式便器４０の前方、すなわち、当該腰掛け式便器４０と車椅子Ｂ間を車椅子使用者Ａが手を摺りながら移動し得る位置に手摺り５０が設けてあり、また、この腰掛け式便器４０に着座して用便をなす者の手の届く範囲にトイレットペーパー７０等の必要備品が備えてある。また、この用便を済ませた車椅子使用者Ａが車椅子Ｂに移乗して移動可能な位置に手洗い装置６０が設けてある。
【００３８】
かかるトイレットＷに備えられる出入り口２０は、当該トイレットＷをコンパクトに構成する点から、この図示例にあっては、通路１４に面している壁体１０の左端、すなわち、この通路１４に面している壁体１０に直角に連続されている壁体１２の厚さ相当分を残した位置から右方向に向けて車椅子Ｂの出入り可能な幅を備えるように当該通路１４に面している壁体１０に開口を設け、この開口を開閉する引き戸３０を、この開口に連続している通路１４に面している壁体１０側に引き込み得る構成としてある。
【００３９】
そして、この図示例にあっては、当該引き戸３０の引き込み得る壁体１０を外壁部１０ａと内壁部１０ｂの二重構造とし、その間に引き戸３０を引き込み収納し得る隙間を構成するようにしてある。なお、この引き戸３０の引き込みに用いられる壁体１０は、当該トイレットＷに車椅子Ｂによって乗り入れた車椅子使用者Ａが当該車椅子Ｂから、この壁体１０に背を向けて腰掛け式便器４０に着座し得る位置に当該腰掛け式便器４０を設け得る構成としてある。
【００４０】
すなわち、この引き戸３０の引き込まれる壁体１０は、腰掛け式便器４０を、その後部が当該壁体１０に接し、又は近接された状態で設置された際に、車椅子使用者Ａが当該車椅子Ｂからこの腰掛け式便器４０に対して背を当該壁体１０に向けて着座し得ると共に、着座した用便者が用便をなし、しかも、再度、車椅子Ｂに移乗し得る必要最小限の空間を当該腰掛け式便器４０の左右並びに前方に備える構成としてあり、腰掛け式便器４０に着座した者の右側方に当該動作に必要最小限の隙間を残して壁体１１が設けてあり、この壁体１１に、前記手摺り５０を構成する縦手摺り５２と、当該縦手摺り５２からほぼ中腰の状態で車椅子使用者Ａが手を摺りながら移動し得る横手摺り５１が設けてある。
【００４１】
この腰掛け式便器４０の前方に備えられる横手摺り５１は、腰掛け式便器４０に着座する向きに直交する向き、すなわち、この腰掛け式便器４０の備えられている壁体１０（引き戸３０の引き込まれる壁体）に平行をなすように設けてある。なお、この図示例に係る横手摺り５１は、その不使用時には、当該腰掛け式便器４０の側方にある壁体１１に沿うように起立収納可能に当該縦手摺り５２に回動可能に設けてあって、水平状態に引き下ろした際に、その基部側にあるストッパー片５２ａが壁体１１に接して当該水平状態を維持し得るようにしてある。
【００４２】
また、この引き戸３０の引き込まれる壁体１０には、前記腰掛け式便器４０に着座して用便をなす者が縋りついて姿勢を保持し得る横手摺り５３が、この腰掛け式便器４０における左側、すなわち、当該腰掛け式便器４０における前記壁体１１と反対の側に、当該壁体１１に平行をなすように前記引き戸３０の引き込まれる壁体１０から突き出し状態に設けてある。そして、この手摺り５３は、車椅子使用者Ａが腰掛け式便器４０との間を移動する際に、上方に起立させて収納し得るように当該壁体１０に回動可能に設けてあって、水平向きに降ろした際に、その基部側にあるストッパー部５３ａが壁体１０の面に接して当該水平状態を維持し得るようにしてある。
【００４３】
また、手洗い装置６０は、当該トイレット内スペースの効果的な使用の観点から、前記出入り口２０に向き合っている壁体１３、すなわち、腰掛け式便器４０の備えられている壁体１０と壁体１１とのなす隅の対角線位置にある壁隅部に備えられるようにしてある。
【００４４】
ついで、図６に示される第２の典型的なトイレットＷについて具体的に説明する。
この図６に示されるトイレットＷは、引き戸３０を左向きに引き込むようにした以外の構成を前記図１〜図５に示されるトイレットＷの構成と同一又は実質的に同一としてあり、当該トイレットＷと同一、又は実質的に同一の構成部分には同一の番号を付して、その説明を省略する。
【００４５】
ここで構成されるトイレットＷは、その使い勝手が前記図１〜図５に示されるトイレットＷと逆向き、すなわち、車椅子使用者Ａにおける利き腕が逆向きとなることから、前記図１〜図５に示されたトイレットＷの使用者Ａと逆の利き腕を備える車椅子使用者Ａが用いて好適なトイレットＷとされる。
【００４６】
ついで、図７に示されるトイレットＷ’は、出入り口２０に引き戸３０を備えた車椅子Ｂの出入り可能な一対のトイレットＷａ、Ｗｂを、この各トイレットＷａ、Ｗｂにおける前記出入り口２０の備えられている壁体８３の前記引き戸３０の引き込み側に、当該壁体８３に背を向けて着座使用されるように腰掛け式便器４０を設け、この一方のトイレットＷａにおける引き戸３０が右方向に、他方のトイレットＷｂにおける引き戸３０が左方向に引き開けられるようにしたものであって、車椅子使用者Ａが各人の利き腕に対応して使いやすいトイレットＷａ、Ｗｂを選択用い得るようにしたものである。
【００４７】
特に、この図示例にあっては、この一対のトイレットＷａ、Ｗｂを通路８７の両側に互いに向き合うように設け、しかも、当該各トイレットＷａ、Ｗｂにおける引き戸３０を備えた出入り口２０が互いに向き合う位置となるようにして当該通路８７の入り口側に設け、この各トイレットＷａ、Ｗｂの通路８７の行き止まりに前記各トイレットＷａ、Ｗｂにおける腰掛け式便器４０と並ぶ線上に健常者用の腰掛け式便器４０を出入り口８６を備える壁体８５に平行をなすように設置し、これらの三個の各腰掛け式便器４０が同一線上に並ぶように設置してある。
【００４８】
すなわち、長方形状をなす設置スペースに対して直線的な後部壁体８１から直角に前方に突き出す両外側壁体８２、８２の各内側に車椅子使用者用トイレットＷａ、Ｗｂを当該両外側壁体８２、８２に向き合う各内側壁体８３、８３、及び、この外側壁体８２と内側壁体８３との間に備えられる前部壁体８４とによって構成し、しかも、この各内側壁体８３、８３間を通路８７とし、この各内側壁体８３、８３における通路８７の手前側に出入り口２０を設け、この各出入り口２０に、その引き込み向きが逆になるように各引き戸３０を設けてあり、さらに、この通路８７の奥、すなわち、前記引き戸３０の引き込まれる各壁体８３部分と、前記後部壁体８１とで囲まれた空間の前方部分にドア８６ａを備えた前部壁体８５を設けて健常者用のトイレットＷｃを構成するようにしてあって、右利き、左利きの各車椅子使用者用トイレットＷａ、Ｗｂと健常者用トイレットＷｃを効率良く狭い設置スペース内に使い勝手良く納めた構成のトイレットＷ’としてある。
【００４９】
なお、この図７に示されるトイレットＷ’は、健常者用のトイレットＷｃを中央部に配して、通路の両側に各車椅子使用者用トイレットＷａ、Ｗｂを設けた以外の構成を前記図１〜図６に示される各トイレットＷの構成と同一又は実質的に同一としてある。従って、前記図１〜図６に示されるトイレットＷの構成と同一又は実質的に同一の構成部分には同一の番号を付して、その説明を省略する。
【図面の簡単な説明】
【００５０】
【図１】典型的なトイレットを示す平断面図
【図２】同要部の斜視図
【図３】同トイレットの使用状態の一例を示す平断面図
【図４】同トイレットの使用状態の次の一例を示す平断面図
【図５】同トイレットの使用状態の、さらに次の一例を示す平断面図
【図６】典型的な他のトイレットを示す平断面図
【図７】典型的な更に他のトイレットを示す平断面図
【符号の説明】
【００５１】
Ａ  使用者
Ｂ  車椅子
Ｗ、Ｗ’  トイレット
１０壁体
２０  出入り口
３０  引き戸
４０  腰掛け式便器
５０  手摺り
【図１】
2007089780.tif 000003
【図２】
2007089780.tif 000004
【図３】
2007089780.tif 000005
【図４】
2007089780.tif 000006
【図５】
2007089780.tif 000007
【図６】
2007089780.tif 000008
【図７】
2007089780.tif 000009